(57)【特許請求の範囲】
【請求項１】
洗浄水を貯める水タンクと、圧縮機と凝縮器と減圧器と蒸発器と送風機とを有する冷凍サイクルによる冷房手段とをケース内に収納配置するとともに、冷房手段は水タンクの左右方向一側部に配設し、凝縮器は水タンク内に配設し、蒸発器は送風機を間に挟んで水タンクと並列して配設し、かつ送風機は、蒸発器で熱交換された空気を軸芯方向から吸引して径方向外方に送出するシロッコファンにて構成し、シロッコファンの吐出口とケース上部の左右両側部に設けた吹き出し口とを送風ダクトにて接続したことを特徴とするトイレ装置。
【請求項２】
送風ダクトに温風を発生させるためのヒータを配設したことを特徴とする請求項１記載のトイレ装置。
【請求項３】
送風機の吸込口に空気を導入する空気取入口を便器のリム内に開口させ、空気取入口と送風機の吸込口との間に脱臭材を配設したことを特徴とする請求項１又は２に記載のトイレ装置。
【請求項４】
蒸発器の空気流入側にフィルタを配設したことを特徴とする請求項１〜３の何れか１項に記載のトイレ装置。
【請求項５】
フィルタは、脱臭材を兼ねるようにしたことを特徴とする請求項４記載のトイレ装置。
【請求項６】
フィルタを、空気取入口近傍、若しくは空気取入口と脱臭材の間に配設したことを特徴とする請求項４記載のトイレ装置。
【請求項７】
フィルタを着脱可能としたことを特徴とする請求項４〜６の何れか１項に記載のトイレ装置。
【発明の詳細な説明】
【０００１】
【発明の属する技術分野】
本発明はトイレ装置に関し、特に冷房手段を備えたトイレ装置に関するものである。
【０００２】
【従来の技術】
従来から、冷凍サイクルを用いかつその凝縮器の冷却手段として水タンク内の洗浄水を利用する冷房手段を設けたトイレ装置は、例えば実開昭６３−１９０３７３号公報、特開平９−１５２１４２号公報、特開２０００−７９０７７号公報などにより知られている。
【０００３】
【発明が解決しようとする課題】
ところが、上記実開昭６３−１９０３７３号公報の構成では、冷凍サイクルの凝縮器は水タンク内に、蒸発器は水タンクの上部や上方側部に、圧縮機はトイレ装置の設置面の水タンク下方位置やトイレ装置の側部に配設され、それぞればらばらに配設されているので、設置スペースが必要になるとともに設置工事に大変な手間とコストがかかり、手入れにも手間がかかるという問題があり、また蒸発器を水タンクの上部に配置した場合、長時間運転すると、水タンク内の水温上昇に伴って蒸発器の放熱効果が低下し、冷房能力が低下するという問題がある。
【０００４】
また、特開平９−１５２１４２号公報の構成では、凝縮器を除いて冷房手段がトイレ装置と分離して独立させて配設されているので、上記と同様に設置スペースが必要になるとともに、設置工事に大変な手間とコストがかかり、手入れにも手間がかかるという問題がある。
【０００５】
また、特開２０００−７９０７７号公報の構成では、冷凍サイクルの凝縮器は水タンク内に、蒸発器や圧縮機は水タンクの上部に配設され、便器本体の後部上方に立設されたタンクケース内に収納配置しているので、設置スペースがコンパクトになるとともに、設置工事や手入れも比較的簡単になるが、冷房手段がタンクカバー内の水タンクの上部に配設されているので、タンクケース内の上部重量が大きくなって支持構造が不安定となり、また蒸発器が水タンクの上部に配設されているため、長時間運転すると、水タンク内の水温上昇に伴って蒸発器の放熱効果が低下し、冷房能力が低下するという問題がある。
【０００６】
本発明は、上記従来の問題点に鑑み、設置スペースがコンパクトで、設置工事や手入れが簡単で、しかも長時間運転しても冷房能力が低下するのを抑制できるトイレ装置を提供することを目的とする。
【０００７】
【課題を解決するための手段】
本発明のトイレ装置は、洗浄水を貯める水タンクと、圧縮機と凝縮器と減圧器と蒸発器と送風機とを有する冷凍サイクルによる冷房手段とをケース内に収納配置するとともに、冷房手段は水タンクの左右方向一側部に配設し、凝縮器は水タンク内に配設し、蒸発器は送風機を間に挟んで水タンクと並列して配設し、かつ送風機は、蒸発器で熱交換された空気を軸芯方向から吸引して径方向外方に送出するシロッコファンにて構成し、シロッコファンの吐出口とケース上部の左右両側部に設けた吹き出し口とを送風ダクトにて接続したものであり、水タンクと冷房手段をケース内に収納配置しかつ冷房手段を水タンクの左右方向一側部に配設しているので、設置スペースがコンパクトで、設置工事や手入れも容易であり、かつ蒸発器は送風機を間に挟んで水タンクと並列して配設しているので水タンク内の水温が上昇してもその熱の上昇によって蒸発器が加熱されず、しかも水タンクと蒸発器の間に送風機が介在されていることで送風機による断熱効果が得られるため、さらに蒸発器が水タンク内の水温上昇の影響を受けるのを抑制でき、冷房手段を長時間運転しても蒸発器の冷却能力が低下するのを防止できる。なお、送風機は水タンクの水温の影響を受けるが、送風機内での空気の熱交換は極めて少ないので、蒸発器で冷却された送風空気が温められてしまう恐れはない。
【０００８】
また、送風機を、蒸発器で熱交換された空気を軸芯方向から吸引して径方向外方に送出するシロッコファンにて構成しているので、送風機の軸方向寸法を小さくできてコンパクトに構成できるとともに、シロッコファンの吐出口とケース上部の左右両側部に設けた吹き出し口とを送風ダクトにて接続しているので、ケース上部の左右両側部の吹き出し口までの風路を空間効率及び熱効率良く構成することができる。
【０００９】
また、送風ダクトに温風を発生させるためのヒータを配設すると、冷房手段を作用させずにヒータを作動させることで暖房が可能となり、１つの送風機で冷房と暖房ができる。なお、冷房手段を構成している冷凍サイクルで暖房運転すると、水タンク内の水が凍る恐れがあるため好ましくない。
【００１０】
また、送風機の吸込口に空気を導入する空気取入口を便器のリム内に開口させ、空気取入口と送風機の吸込口との間に脱臭材を配設すると、脱臭用の送風機と冷房用送風機を共用することができ、その分コスト低下を図ることができる。
【００１１】
また、蒸発器の空気流入側にフィルタを配設すると、蒸発器の目詰まりを防止できるので、冷房能力の低下を防止し、また詰まった塵の腐食による臭いの発生を防止することができる。
【００１２】
また、フィルタが脱臭材を兼ねるようにすると、部品点数を削減することができ、コスト低下を図ることができる。
【００１３】
また、フィルタを、空気取入口近傍、若しくは空気取入口と脱臭材の間に配設すると、脱臭材の目詰まり防止と蒸発器の目詰まり防止を兼用でき、部品点数を削減してコスト低下を図ることができる。
【００１４】
また、フィルタを着脱可能とすると、フィルタの手入れができるので、フィルタの目詰まりによる冷房能力の低下を防止できる。
【００１５】
【発明の実施の形態】
以下、本発明のトイレ装置の第１の実施形態について、図１〜図３を参照して説明する。
【００１６】
１はトイレ装置で、便器２と、その上面後部に設置された本体部３と、本体部３の前端部に便器２上に設置された姿勢と上方に開いた状態との間で上下回動可能に装着された便座４及び便蓋５にて構成されている。
【００１７】
本体部３は、便器２上に固定設置されるベース板（図示せず）上に、便器２を洗浄する洗浄水を貯める水タンク６と、冷房手段７を設置し、また必要に応じてその前部に局部温水洗浄手段（図示せず）を設置し、それらをケース８内に収納して構成されている。水タンク６の一側部に冷房手段７の配設空間を形成する凹欠部６ａが形成され、冷房手段７は水タンク６の一側部に配設されている。ケース８は、ケース本体９とその上端開口を覆うケース蓋１０にて構成されており、ケース蓋１０は必要に応じて手洗い手段を設けた構成とされる。
【００１８】
冷房手段７は、圧縮機１１と、凝縮器１２と、減圧器１３と、蒸発器１４からなる冷凍サイクルと、蒸発器１４で冷却された空気を送風する送風機１５とを備えており、水タンク６を設置した状態で着脱できるユニットとして構成されている。１６は冷凍サイクルを接続する冷媒配管である。
【００１９】
凝縮器１２は、水タンク６内に収容配置されて洗浄水と熱交換する蛇行配管部材にて構成され、減圧器１３は細管を巻回して構成されている。蒸発器１４は、周壁内に配設されたフィン群とこのフィン群を貫通する蛇行配管にて構成され、蛇行配管に冷媒を流しながらフィン群間の隙間に空気を通すことにより、空気を熱交換して冷却するように構成されている。送風機１５は軸方向に吸い込んで径方向に吹き出すシロッコファンにて構成されている。
【００２０】
蒸発器１４と送風機１５は、比較的小さな幅の通風空間１７を介して並列配置して連結され、かつ蒸発器１４が水タンク６の一側部に送風機１５を介在させた状態で配設され、蒸発器１４で熱交換された空気を水タンク６と蒸発器１４の間に配設した送風機１５にてケース８外に吹き出すように構成されている。
【００２１】
送風機１５の吐出口１５ａは上向きに開口され、この吐出口１５ａに接続された送風ダクト１８を通ってケース蓋１０の左右両側に配設された吹き出し口１９から便座４上に着座した人の首筋に向けて冷風を吹き付けるように構成されている。
【００２２】
以上の構成によれば、水タンク６の側部に冷房手段７を配設してケース８内に収納しているので、冷房手段７を水タンク６を配設したケース８とは別に配設する場合に比して、設置スペースがコンパクトになるとともに、設置工事や手入れも簡単にできる。
【００２３】
しかも、冷房手段７の蒸発器１４を水タンク６の側方に配置しているので、水タンク６の上部に配設した場合と異なって、水タンク６内の水温が上昇してもその熱の上昇による蒸発器１４の加熱を無くすことができ、さらに水タンク６と蒸発器１４の間に送風機１５を介在させているので、送風機１５による断熱効果が得られ、蒸発器１４が水タンク６内の水温上昇の影響を受けるのを一層抑制することができ、従って冷房手段７を長時間運転しても蒸発器１４の冷却能力が低下するのを防止できる。なお、送風機１５は水タンク６の水温の影響をある程度受けることになり、蒸発器１４で冷却された空気がその送風機１５を通過するが、送風機１５内での空気の熱交換は極めて少ないので、蒸発器１４で冷却された送風空気が温められてしまう恐れはない。
【００２４】
また、送風機１５を蒸発器１４で熱交換された空気を軸芯方向から吸引して径方向外方に送出するシロッコファンにて構成しているので、送風機１５の軸方向寸法を小さくできてコンパクトに構成できるとともに、空気を吹き出す吐出口１５ａの開口方向を任意に設定でき、ケース蓋１０の両側の吹き出し口１９までの送風ダクト１８の配設空間を空間効率良く容易に確保できるとともに、その長さを最短にして熱効率良く吹き出し口１９から吹き出すようにできる。
【００２５】
次に、本発明のトイレ装置の第２の実施形態について、図４を参照して説明する。なお、以下の実施形態の説明では、先行する実施形態と同一の構成要素に対して同一参照符号を付して説明を省略し、相違点についてのみ説明する。
【００２６】
本実施形態においては、送風機１５の吐出口１５ａとケース８のケース蓋１０に設けた吹き出し口１９との間に温風を発生させるためのヒータ２０を配設している。このように構成すると、冷房手段７を作用させずにヒータ２０を作動させることで暖房が可能となり、１つの送風機１５で冷房と暖房ができる。
【００２７】
次に、本発明のトイレ装置の第３の実施形態について、図５を参照して説明する。本実施形態においては、蒸発器１４の空気流入側にフィルタ２１を配設している。このようにフィルタ２１を配設することで、蒸発器１４の目詰まりを防止できるので、冷房能力の低下を防止し、また詰まった塵の腐食による臭いの発生を防止することができる。
【００２８】
次に、本発明のトイレ装置の第４の実施形態について、図６を参照して説明する。本実施形態においては、ケース８の側面からフィルタ２１を着脱できるように構成している。このように構成すると、フィルタ２１の手入れができるので、フィルタ２１の目詰まりによる冷房能力の低下を防止できる。
【００２９】
次に、本発明のトイレ装置の第５の実施形態について、図７を参照して説明する。本実施形態においては、送風機１５の吸込口に蒸発器１４を通して空気を導入する空気吸入通路２２を設け、その空気取入口２３を便器２のリム２ａ内に開口させるとともに、この空気吸入通路２２内に脱臭材２４を配設している。このように構成すると、脱臭用の送風機と冷房用送風機を送風機１５で共用することができ、その分コスト低下を図ることができる。
【００３０】
次に、本発明のトイレ装置の第６の実施形態について、図８を参照して説明する。本実施形態においては、空気吸入通路２２内に脱臭材２４とともにフィルタ２１を配設している。フィルタ２１を空気取入口２３と脱臭材２４の間に配設すると、脱臭材２４の目詰まり防止と蒸発器１４の目詰まり防止を兼用できるので、部品点数を削減してコスト低下を図ることができて好ましい。具体的には、実線で示すように脱臭材２４の近傍位置に配設すると、脱臭材２４とフィルタ２１の配置構成を兼用できるので好ましい。また、フィルタ２１は、破線で示すように、空気取入口２３の近傍や、空気取入口２３と脱臭材２４の間に配設しても構わない。尚、場合によっては脱臭材２４と蒸発器１４の間に配設してもよい。
【００３１】
さらに、フィルタ２１が脱臭材２４を兼ねるようにすると、部品点数を削減することができ、コスト低下を図ることができる。
【００３２】
なお、凝縮器１２を蛇行配管部材で構成して水タンク６内に収容配置することは、簡素な構成で凝縮熱を放熱できる点で好ましいが、これは一例であり、他に、フィンチューブで構成すると、熱交換効率が高い点で好ましい。
【００３３】
また、減圧器１３を細管を巻回して構成することは、簡素な構成で減圧を行うことができる点で好ましいが、これは一例であり、他に、バルブで構成すると、冷房負荷に応じて減圧度合いを変更できる点で好ましい。また、電子制御弁で構成すると、減圧度合いを自動制御で変更できる点で好ましい。
【００３４】
また、送風機１５をシロッコファンで構成することは、コンパクトに構成したり、空気の吹き出し方向を任意に設定できる点で好ましい以外に、シロッコファンは圧力損失に強いため、蒸発器１４やフィルタ２１、脱臭材２４と言った通気抵抗となる構成部品が風路内にあっても風量低下が少なくて済むと言った点でも好ましい。
【００３５】
【発明の効果】
本発明のトイレ装置によれば、以上の説明から明らかなように、水タンクと冷房手段をケース内に収納配置しかつ冷房手段を水タンクの左右方向一側部に配設しているので、設置スペースがコンパクトで、設置工事や手入れも容易となり、かつ蒸発器は送風機を間に挟んで水タンクと並列して配設しているので水タンク内の水温が上昇してもその熱の上昇によって蒸発器が加熱されず、しかも水タンクと蒸発器の間に送風機が介在されていることで送風機による断熱効果が得られるため、さらに蒸発器が水タンク内の水温上昇の影響を受けるのを抑制でき、冷房手段を長時間運転しても蒸発器の冷却能力が低下するのを防止できる。また、送風機を、蒸発器で熱交換された空気を軸芯方向から吸引して径方向外方に送出するシロッコファンにて構成しているので、送風機の軸方向寸法を小さくできてコンパクトに構成できるとともに、シロッコファンの吐出口とケース上部の左右両側部に設けた吹き出し口とを送風ダクトにて接続しているので、ケース上部の左右両側部の吹き出し口までの風路を空間効率及び熱効率良く構成することができる。
【図面の簡単な説明】
【図１】本発明のトイレ装置の第１の実施形態の全体構成を示す斜視図である。
【図２】同実施形態の全体構成を模式的に示した正面図である。
【図３】同実施形態の要部の配置状態を示す平面図である。
【図４】本発明のトイレ装置の第２の実施形態の全体構成を模式的に示した正面図である。
【図５】本発明のトイレ装置の第３の実施形態の全体構成を模式的に示した正面図である。
【図６】本発明のトイレ装置の第４の実施形態の要部の部分正面図である。
【図７】本発明のトイレ装置の第５の実施形態の全体構成を模式的に示した側面図である。
【図８】本発明のトイレ装置の第６の実施形態の全体構成を模式的に示した側面図である。
【符号の説明】
１  トイレ装置
２  便器
２ａ  リム
６  水タンク
７  冷房手段
８  ケース
１１  圧縮機
１２  凝縮器
１３  減圧器
１４  蒸発器
１５  送風機
１９  吹き出し口
２０  ヒータ
２１  フィルタ
２３  空気取入口
２４  脱臭材
【図１】
0003898513.tif 000002
【図２】
0003898513.tif 000003
【図３】
0003898513.tif 000004
【図４】
0003898513.tif 000005
【図５】
0003898513.tif 000006
【図６】
0003898513.tif 000007
【図７】
0003898513.tif 000008
【図８】
0003898513.tif 000009